(57)【特許請求の範囲】
【請求項１】
コネクタ（１）であって、
ハウジング（２）と、
端子（３）と、
前記端子と接続された導電体（６）と、
前記ハウジング内に配置され、前記ハウジング内に前記導電体をガイドするガイド部材（４，３６）と、
前記導電体と前記ガイド部材との間に配置された弾性部材（５）と、
前記弾性部材に対して前記導電体を付勢するリテーナ部材（７，３５）と、を備えるコネクタ。
【請求項２】
前記弾性部材は、弾性Ｏリングである請求項１記載のコネクタ。
【請求項３】
前記弾性部材は、前記ガイド部材の一部である請求項１記載のコネクタ。
【請求項４】
前記ガイド部材は、前記導電体が配置される凹部（１７）を含む請求項１から３のいずれか１項記載のコネクタ。
【請求項５】
前記ガイド部材は、互いに反対側に二列の凹部（１７）を備え、
前記互いに反対側において、前記導電体が配置され、前記凹部内にガイドされる請求項４記載のコネクタ。
【請求項６】
前記Ｏリングは、前記ガイド部材の片側に配置され、
少なくとも１本の導電体が前記Ｏリングの二箇所に接触する請求項２記載のコネクタ。
【請求項７】
前記ガイド部材は、互いに反対側に、ピンなどの２つの突出部を含み、
前記Ｏリングは、前記２つの突出部に固定される請求項６記載のコネクタ。
【請求項８】
前記Ｏリングが前記ガイド部材を取り囲み、
各導電体が前記Ｏリングと一箇所で接触する請求項２記載のコネクタ。
【請求項９】
前記導電体は、前記導電体と前記ハウジングとの間に配置されるシール部材を含み、
前記シール部材が、塵および／または水分に対して封止する請求項１から８のいずれか１項記載のコネクタ。
【請求項１０】
前記リテーナ部材は、前記ガイド部材の２つの側面に配置される２本のアーム（２３）を含む請求項１から９のいずれか１項記載のコネクタ。
【請求項１１】
前記リテーナ部材は、前記ガイド部材の１つの側面に配置される１本のアーム（２３）を含む請求項１から１０のいずれか１項記載のコネクタ。
【請求項１２】
スナップ部材（２６）が前記リテーナ部材と前記ハウジングとを連結するように配置される請求項１から１１のいずれか１項記載のコネクタ。
【発明の詳細な説明】
【技術分野】
【０００１】
本発明は、ハウジング、端子、前記端子と接続する導電体および前記導電体のためのガイド部材を備えるコネクタに関する。
【背景技術】
【０００２】
従来技術において、いくつかの公知のコネクタの態様がある。米国特許５，２４４，４０７号明細書は、内部支持部材を備え、複数の部材からなるコネクタ後部シェル組立体が開示されている。ワイヤまたはクラックシェルケーブルのためのコネクタ後部シェル組立体が、ボディとカバーとがハウジングを規定するように与えられている。内部支持部材は、ワイヤとケーブルが間に固定される分割支持部材としてハウジング内に実装される。コネクタは、前端でハウジングに実装され、ワイヤまたはクラックシェルケーブルと電気的に接続する。出口クランプ部材は、後部端に近接したボディなどに実装され、大きな出口窓を規定する。出口クランプ部材は、ワイヤやクラックシェルケーブルなどのさらなる固定のために、ワイヤやクラックシェルケーブルなどが２つの導電部材を支持しかつストレインリリーフを与えてハウジングへ出るようにして設けられる。例えば、一以上の導電部材は、コネクタバックシェル組立体に対して曲げられるか捩られる際に、導電部材がコネクタと接続する。
【０００３】
米国特許４，８３２，６１６号明細書には、導電体シールロックを備えた電気コネクタが開示されている。この電気コネクタは、後方にシール部を含む複数の細長いキャビティを備えるコンタクトボディ、キャビティ内に配置されキャビティの後方シール部から延伸する導電体に接続した端子、および導電体と電気コネクタのためのエラストマー製のシールスリーブを含む。コネクタボディの導電体端部に装着された導電体シールロックは、導電体上に配置された同軸塔を備える。この同軸塔は、エラストマー製のシールスリーブを実質的に押圧して、端子の完全挿入およびキャビティ内の端子の正確な位置を確実にする。
【０００４】
ドイツ国特許出願公開第４０１５７９３号明細書によれば、塵や水分に対して二重のシール配置を備えたコネクタが開示されている。このコネクタは、少なくとも２つのコネクタ端子において端子を封止するように配置された２つのシールスリーブ部材を含む。さらに、このコネクタは、ケーブルを２枚折りにシールするように端子に接続されたケーブルを締結するケーブル締結で配置されたシールカバーを含む。
【０００５】
【特許文献１】米国特許第５，２４４，４０７号明細書
【特許文献２】米国特許第４，８３２，６１６号明細書
【特許文献３】ドイツ国特許出願公開第４０１５７９３号明細書
【発明の概要】
【発明が解決しようとする課題】
【０００６】
本発明は、改良された導電体の締結を備える改良されたコネクタを提供することをその目的とする。
【課題を解決するための手段】
【０００７】
本発明の目的は、請求項１に記載されたコネクタによって達成される。このコネクタの１つの利点は、移動伝達を少なくし、導電体と接続された端子へ付勢するように導電体の締結を改良することである。
【０００８】
本発明の更なる利点は、改良された導電体ガイドを備えるコネクタの簡易構造を与えることである。本発明の目的は、導電体とガイド部材間の弾性部材を与えることによって得られる。ガイド部材はガイド機能となり、弾性部材は導電体を弾性的に締結する。導電体の弾性的な締結は、導電体に課される力と反し、端子の保護を改良する。
【０００９】
本発明のさらなる実施形態の利点は、従属項に記載される。
本発明の実施形態は、分けられたフレキシブル部材を参照する。弾性部材は、分けられた部材とされ、ゆえにガイド部材とは異なる材料で形成可能である。
【００１０】
単に弾性部材の実施形態は、弾性Ｏリングを弾性部材として用いることによって得られる。弾性Ｏリングは、安価で、かつ、ハウジング内に容易に位置決めできる。
【００１１】
さらなる実施形態において、弾性部材は、ガイド部材の一部分である。これによって、ガイド部材を参照する弾性部材の位置が正確に規定され、コネクタの実装の際に取り扱う部材を少なくできるという利点がある。
【００１２】
さらなる実施形態において、ガイド部材は、導電体が配置され、導電体が予め決められた方向へガイドする凹部を含む。予め決められた方向へガイドするので、導電体の締結が改良される。それにより、フレキシブル部材との組み合わせで端子への力の伝達をより少なくすることができる。
【００１３】
さらなる実施形態において、ガイド部材は、対向する側面において、二列の凹部を含む。対向する側面において、導電体の列は、凹部内にガイドされるように配置される。これにより、小スペースにガイドされる多くの導電体のためのガイド部材となる。
【００１４】
さらなる実施形態において、Ｏリングは、ガイド要素の片側に配置される。少なくとも1つの導電体がＯリングの２つの部分と接触する。それゆえ、導電体は、Ｏリングの２つの部分と接触し、導電体の弾性的な締結を改良する。
【００１５】
さらなる実施形態において、ガイド部材は、Ｏリングが固定される２つの突部を含む。これによって、ガイド部材を備えたＯリングの簡易で信頼性のある固定ができる。
【００１６】
さらなる実施形態において、シール部材が、塵や水分からコネクタをシールするために、導電体とコネクタハウジングとの間に配置される。これによって、コネクタのシール性を改良させる。
【００１７】
さらなる実施形態において、リテーナ部材が、２つの側面において、ガイド部材を避ける２つのアームを含む。それゆえに、リテーナ部材を備えたガイド部材の対向する側面によって導電体を直列に保持することが可能となる。さらに、２つのアームによってハウジングとリテーナ部材との強力で信頼性のある固定が可能となる。
【００１８】
さらなる実施形態において、リテーナ部材は、ガイド要素の片側に配置され、導電体の一列を弾性部材に押圧する単一アームを含む。このリテーナ部材の構造は、ガイド部材の片側において導電体が単一で直列である場合に簡易で役に立つ。
【００１９】
さらなる実施形態において、第二のシール部材が導電体に配置される。第二のシール部材は、ハウジングと導電体間のフリースペースを塞ぎ、コネクタ内へ流体が侵入することを防ぐ。第二のシール部材は、コネクタのシール性を改良させる。
【００２０】
さらなる実施形態において、スナップ手段が、ハウジングへリテーナ部材を締結するために備えられる。
【図面の簡単な説明】
【００２１】
【図１】図１は、コネクタの斜視図である。
【図２】図２は、コネクタの部分断面図である。
【図３】図３は、Ｏリングを備えたガイド部材の斜視図である。
【図４】図４は、ガイド部材の側面図である。
【図５】図５は、ガイド部材の断面図である。
【図６】図６は、リテーナ部材の第一斜視図である。
【図７】図７は、リテーナ部材の第二斜視図である。
【図８】図８は、第二ガイド部材の平面図である。
【図９】図９は、第二ガイド部材の側面図である。
【図１０】図１０は、第二ガイド部材の断面図である。
【図１１】図１１は、第二ガイド部材の平面図である。
【図１２】図１２は、第二リテーナ部材の平面図である。
【図１３】図１３は、第二リテーナ部材の側面図である。
【図１４】図１４は、第二コネクタである。
【発明を実施するための形態】
【００２２】
図１には、ハウジング２、および導電体６に接続される複数の端子３を備えるコネクタ１が開示される。端子３は、ハウジング２の端子チャンバ８内に配置され、別の端子と接続されるように配置される。端子チャンバ８は、別の端子を導入するためにコネクタ１の前側５０に開口する。例えば、各端子３毎に１つの端子チャンバ８が設けられてもよい。ハウジング２は、後端９で導電体６をガイドする開口１１を含む。図示された実施形態において、導電体６は２列であり、各列は、３本の導電体６を含む。導電体６は、ガイド部材４によってガイドされ、ガイド部材４には、各導電体６のための２つのガイド凹部１７が備えられる。図１には、ハウジング２の後端９の開口１１を通じてガイド部材４が押される位置にガイド部材４が示される。ハウジング２の後端９の開口１１は、ガイド部材４が挿入される長円形の断面を有する。２つの対向する側面において、後端９は、ガイド部材４に配置された複数のラッチ１３が挿入される第一凹部１２を含む。
【００２３】
ガイド部材４は、図１に示されない接続部によって接続される下側プレート１４と上側プレート１５を含む。下側プレート１４と上側プレート１５との間には円形溝１６が配置されている。下側プレート１４と上側プレート１５は、同じ大きさで互いに平行に配置される。下側プレート１４と上側プレート１５は、ガイド凹部１７を含む。下側プレート１４のガイド凹部１７は、上側プレート１５のガイド凹部１７の下に配置される。下側プレート１４と上側プレート１５のガイド凹部１７は、導電体６のためのガイドチャネル１８を規定する。各導電体６は、下側プレート１４のガイド凹部１７を通じ、ガイドチャネル１８に沿って上側プレート１５のガイド凹部１７を通じてガイドされる。弾性部材５は、接続部の周りの溝１６に配置される。弾性部材５は、ガイド部材４と共に一部材とされてもよい。さらなる実施形態において、弾性部材５は、Ｏリングとして構成されてもよい。Ｏリング５は、導電体６とガイド部材４との間に配置される。それゆえに導電体６は、Ｏリング５に当接した状態になる。
【００２４】
ガイド部材４の図示される実施形態において、２つの直列配置のガイドチャネル１８がガイド部材４の対向する側面に備えられる。ガイド部材４の各側において、互いに平行配置の３本のガイドチャネルが備えられる。
【００２５】
ガイド凹部１７は、第一プレート１４および第二プレート１５のリムで開口する長穴形状である。ガイド凹部１７の長穴形状の長さは、導電体６の直径より大きい。第一プレート１４および第二プレート１５は、ガイド凹部１７を規定し、かつ、導電体６を横方向に超える突部１９を含む。ガイド部材４の実装位置において、２本の第二ガイドチャネル２０は、下側プレート１４と上側プレート１５の突部１９、ハウジング２および導電体６によって規定される弾性部材５の２つの側面に配置される。
【００２６】
ハウジング２の後端９は、長円形のカラー２２の形状となっている。４つの第二開口２１は、２つの平行なアーム２３を備えたリテーナ部材７のための挿入開口を与えるように、一つの水準でカラー内に配置される。実装される位置において、リテーナ部材７は、２つの第二開口２１内にカラー２２の第一の側で挿入される。各アーム２３は、第二開口２１内に配置される。次に、アーム２３が第二ガイドチャネル２０内に挿入される。実装されたリテーナ部材７は、ハウジング２とガイド部材４とを固定し、弾性部材５に向かって導電体６を押圧する。リテーナ部材７の実装位置において、導電体６は、アーム２３の内側で弾性部材５に位置する。導電体６は、絶縁膜２５によって取り囲まれる電線２４を含む。
【００２７】
リテーナ部材７の少なくとも１本のアーム２３は、カラー２２の内面に配置されるノッチで固定される突起２６を外面に含む。リテーナ部材７の２本のアーム２３は、アーム２３よりもより大きな幅を有するクリップ部（clip)２７で連結される。
【００２８】
図２には、実装されたコネクタ１の部分断面図が示される。導電体６は、リテーナ部材７の２本のアーム２３によって固定され、ガイド部材４の接続部材２８を取り囲むＯリング５を押圧する。アーム２３は、下側プレート１４と上側プレート１５の突起１９、ハウジング２のカラー２２とコネクタ６によって規定される第二ガイドチャネル２０内に配置される。図２に参照されるように、Ｏリング５は、導電体６によって押しつけられることにより、ガイド部材４とリテーナ部材７による導電体６の弾性的な固定となる。ガイド部材４の下に、ハウジングに対しておよび／または互いのシール部材５１に対して導電体をシールするように、複数の第一シール部材５１が配置される。
【００２９】
図３には、長手プレート形状で下側プレート１４および上側プレート１５を接続する接続部材２８を取り囲むＯリング５を備えたガイド部材４の斜視図が示される。１つのＯリング５の代わりに、弾性部材として配置される複数のＯリング５を用いてもよい。Ｏリング５の代わりに、弾性ベルトが配置されてもよい。
【００３０】
図４には、円形溝１６内に弾性部材５がない状態のガイド部材４の側面図である。
【００３１】
図５には、接続部材２８の一部である弾性部材５を備えたガイド部材４の断面図が示される。本実施形態において、接続部材２８は、例えば弾性シリコーンなどの弾性材料から形成されてもよい。さらなる実施形態において、接続部材２８は、一部材または二部材の弾性リボンによって取り囲まれた中央の堅牢プレート５３から形成されてもよい。
【００３２】
図６は、平行に配置され、かつ、クリップ部２７で連結される２本のアーム２３を含むリテーナ部材７を上から見た図である。２本のアーム２３の内側３０、３１は、弾性部材５に向かって導電体６を押圧するために設けられた平面を含む。２本のアーム２３は、上面および下面において、アーム２３の長手方向へ配置されたバー４２を含む。バー４２は、ハウジング２の対応する溝にガイドするために用いられる。
【００３３】
図７には、リテーナ部材７を下から見た図が示される。
【００３４】
図８には、上から見た第二ガイド部材が示される。第二ガイド部材３６は、平行に配置された５本の導電体６一列のためのガイドチャネル１８を形成するためのガイド凹部１７を、下側プレート１４と上側プレート１５の片側だけに含む。
【００３５】
図９には、導電体６のためのガイドチャネル１８を規定する突起１９を備えた第二ガイド部材３６の側面図が示される。第二ガイド部材３６は、２つの端部に２本のピン３７，３８を備える。ピン３７，３８は、上側プレート１５および下側プレート１４間の中間部に配置される。
【００３６】
図９には、さらにＯリング５が配置され、Ｏリング５は、第一ピン３７および第二ピン３８によって締結される。本実施形態によれば、第一ピン３７と第二ピン３８との間にピン３９，４０をさらに備えてもよい。１つのＯリング５の代わりに、弾性部材として配置される複数のＯリング５を用いてもよい。Ｏリング５の代わりに、弾性ベルトが配置されてもよい。
【００３７】
図１０には、下側プレート１４および上側プレート１５に平行に配置された第一ピン３７で切断した断面図である。第二ピン３８は、第一ピン３７に対して平行に配置される。
【００３８】
図１１には、Ｏリング５が実装された第二ガイド部材３６の上から見た図が示される。図１１を参照すると、Ｏリング５は、第二ガイド部材３６の全てのガイド凹部１７内に配置され、第二ガイド部材３６の互いに対向する側に備えられた第一ピン３７と第二ピン３８によって保持される。
Ｏリングは、エラストマー製の材料から形成されてもよく、例えば、シリコーンエラストマーなどを挙げることができる。
【００３９】
図１２は、図８〜１１で示される第二ガイド部材３６と共に用いられる第二リテーナ部材３５が示される。第二リテーナ部材３５は、クリップ部２７を備える単一アーム２３を含む。第二リテーナ部材３５は、カラー２２のノッチに固定するための突起２６を、アーム２３の外側側面に含む。
【００４０】
図１３には、第二リテーナ部材３５の側面図が示される。クリップ部２７は、予め決められた長さで、アーム２３から伸びる。それゆえに、クリップ部２７は、第二リテーナ部材３５を操作するために用いられてもよい。実装する位置において、第二リテーナ部材３５は、第二ガイド部材３６とカラー２２の壁によって規定される第二ガイドチャネル２０内に導入される。
【００４１】
図１４には、図１２および１３に示されるような第二リテーナ部材３５を備え、かつ、図９，図１０，図１１に示されるような第二ガイド部材３６および弾性部材５を備えたコネクタ１のさらなる実施形態が示される。
【００４２】
さらなる実施形態において、例えば導電体６間に割り込むシールリングなどのシール部材５１がハウジング２と導電体６との間に配置される。さらなる実施形態において、導電体６は、導電体６間に割り込む第二のシール部材を含み、第二のシール部材は、互いのシール部材同士に対して、および／または、ハウジング２に対して導電体６を封止する。
【００４３】
それゆえに、弾性部材５が水分や塵の侵入に対して導電体６および／またはハウジング２を封止することは重要ではなくなる。弾性部材５は、移動が伝達されることを防止し、および／または、導電体６を端子３へ付勢することを防止するように、弾性的に導電体６を締結する機能を有する。
【符号の説明】
【００４４】
１・・・コネクタ
２・・・ハウジング
３・・・端子
４，３６・・・ガイド部材
５・・・弾性部材
６・・・導電体
７，３５・・・リテーナ部材
１７・・・凹部
２３・・・アーム
２６・・・スナップ部材
【図１】
0005460745.tif 000002
【図２】
0005460745.tif 000003
【図３】
0005460745.tif 000004
【図４】
0005460745.tif 000005
【図５】
0005460745.tif 000006
【図６】
0005460745.tif 000007
【図７】
0005460745.tif 000008
【図８】
0005460745.tif 000009
【図９】
0005460745.tif 000010
【図１０】
0005460745.tif 000011
【図１１】
0005460745.tif 000012
【図１２】
0005460745.tif 000013
【図１３】
0005460745.tif 000014
【図１４】
0005460745.tif 000015